(57)【要約】      （修正有）【課題】係合強力や剥離耐久性を維持しながら高い通気性が得られる面ファスナー用雌面を提供する。【解決手段】フロント筬においてサテン組織Ａ、ミドル筬においてサテン組織Ｂ、バック筬においてデンビー組織Ｃを有する面ファスナー用雌面である。前記バック糸のみにより編成された多数の通気孔を設けられている。好ましくは、フロント筬及びミドル筬におけるサテン組織Ａ、Ｂは、針３本分又はそれ以上を超えて移動させる。繊維径は、フロント筬、ミドル筬ともに８４ｄｔｅｘ以上、２２０ｄｔｅｘ以下が好ましい。バック筬は、５６ｄｔｅｘ以下が好ましい。【選択図】図２
0003213965.tif 000002
【実用新案登録請求の範囲】
【請求項１】
フロント筬においてサテン組織、ミドル筬においてサテン組織、バック筬においてデンビー組織を有する面ファスナー用雌面であって、
前記バック糸のみにより編成された多数の通気孔を設けられていることを特徴とする面ファスナー用雌面。
【請求項２】
フロント筬及びミドル筬におけるサテン組織が、針３本分又はそれ以上を超えて移動させるものである請求項１記載の面ファスナー用雌面。
【請求項３】
前記フロント筬が、４−３／６−７／４−３／６-７／４−３／６−７／４−３／６−７／４−３／４−５／３−２／３−４／１−０／３−４／１−０／３−４／１−０／３−４／１−０／３−４／３−２／４−５の閉じ目のサテン組織であり、
前記ミドル筬が、１−０／３−４／１−０／３−４／１−０／３−４／１−０／３−４／３−２／４−５／４−３／６−７／４−３／６−７／４−３／６−７／４−３／６−７／４−３／４−５／３−２／３−４の閉じ目のサテン組織であり、
前記バック筬が、１−２／１−０の閉じ目のデンビー組織である
請求項１又は２記載の面ファスナー用雌面。
【考案の詳細な説明】
【技術分野】
【０００１】
本考案は、通気性の良好な面ファスナー用雌面（別名「Ｂ面」ともいう。フック側雄面が「Ａ面」である。）に関するものである。
【背景技術】
【０００２】
従来、面ファスナー用雌面は、腰痛帯、コルセット、サポーター等のように人体に直接または間接にフィットさせて使用する場合が多く、通気性が悪いと、特に夏場などでは蒸れて暑苦しく、長時間の装着は苦痛となる。従って、面ファスナー用雌面を構成する基布には、トリコット編成品やループ製織品などのように組織上通気性を備えているものが選ばれる。
【０００３】
しかしながら、基布自身が編物で構成されていても、起毛によるループ形成時に略１／２に縮むことから密度がアップして通気性を悪くしたり、ループに所定の係合強力や剥離耐久性を保持させるために編物や織物を一定の厚さ以上にしたり、裏面に樹脂コーティングしたりすることによっても通気性を悪くするという問題があった。
【０００４】
この問題を解決するため、特開２０００―４１７１２では、基布の表面に無数のループを形成してなる面ファスナー用雌面において、この基布に多数の通気孔をメッシュ状に形成した面ファスナー用雌面を開示している。
【先行技術文献】
【特許文献】
【０００５】
【特許文献１】特開２０００―４１７１２
【考案の概要】
【考案が解決しようとする課題】
【０００６】
上記発明では、多数の通気孔が完全な貫通孔であるため、高い通気性は得られるが、その貫通孔のために係合強力や剥離耐久性がある程度犠牲になっていた。
【０００７】
本考案は、この課題を解決するためのもので、その目的とするところは、係合強力や剥離耐久性を維持しながら高い通気性が得られる面ファスナー用雌面を提供することにある。
【課題を解決するための手段】
【０００８】
本考案は、フロント筬においてサテン組織、ミドル筬においてサテン組織、バック筬においてデンビー組織を有する面ファスナー用雌面であって、前記バック糸のみにより編成された多数の通気孔を設けられていることを特徴とする。
【０００９】
好ましくは、フロント筬及びミドル筬におけるサテン組織は、針３本分又はそれ以上を超えて移動させるものとする。
【００１０】
さらに好ましくは、フロント筬は、４−３／６−７／４−３／６-７／４−３／６−７／４−３／６−７／４−３／４−５／３−２／３−４／１−０／３−４／１−０／３−４／１−０／３−４／１−０／３−４／３−２／４−５の閉じ目のサテン組織であり、
ミドル筬は、１−０／３−４／１−０／３−４／１−０／３−４／１−０／３−４／３−２／４−５／４−３／６−７／４−３／６−７／４−３／６−７／４−３／６−７／４−３／４−５／３−２／３−４の閉じ目のサテン組織であり、
バック筬は、１−２／１−０の閉じ目のデンビー組織である。
【考案の効果】
【００１１】
本考案の面ファスナー用雌面は、多数の通気孔が設けられているので、通気性がよい。しかも、この通気孔においてはバック糸によりデンビー組織が編成されているため引張せん断強力及び剥離強力においても優れている。
【００１２】
以下、本考案を、実施例を用いて説明する。
【図面の簡単な説明】
【００１３】
【図１】本考案に係る面ファスナー用雌面の斜視図である。
【図２】本考案の面ファスナー用雌面を構成する経編地の編成組織の一例である。
【考案を実施するための形態】
【００１４】
図１に示すように、本実施例の面ファスナー用雌面１は、通気孔３を有している。
【００１５】
図２は、本考案の一例を示す組織図である。
【００１６】
Ａは、最も前の筬（フロント）の組織図で、４−３／６−７／４−３/６-７/４−３／６−７/４−３/６−７／４−３／３−４／１−０／３−４／１−０／３−４／１−０／３−４／１−０／３−４／３−２／３−４の閉じ目のサテン組織である。
【００１７】
Ｂは、中間筬（ミドル）の組織図で、１−０／３−４／１−０／３−４／１−０／３−４／１−０／３−４／３−２／４−５／４−３／６−７／４−３／６−７／４−３／６−７／４−３／６−７／４−３／４−５／３−２／３−４の閉じ目のサテン組織である。
【００１８】
Ｃは、最も後の筬（バック）の組織図で、１−２／１−０の閉じ目のデンビー組織である。
【００１９】
この組織図からわかるように、フロントとミドルは糸を通す部分と通さない部分２があり、糸を通さない部分（通気孔）３はバックの糸のみにより編地が編成されている。バックの編地はフロントとミドルの糸がないため、通気性を有する。フロント、ミドルの糸を起毛して厚みを出してもその効果は失われない。
【００２０】
使用する糸は、ポリエステル又はポリアミドが好ましいが、必要であればポリウレタンやほかの素材を使用することもできる。繊維径は、フロント筬、ミドル筬ともに８４ｄｔｅｘ以上、２２０ｄｔｅｘ以下が好ましい。バック筬は、５６ｄｔｅｘ以下が好ましい。
【００２１】
本考案の経編地は、トリコット編機、ラッセル編機にて編成可能であり、編機のゲージについては、特に限定されないものの、２４〜３６ゲージの編機を、用途、使用する繊維の太さによって、任意に選択することが好ましい。例えば、カールマイヤー製の２８ゲージのシングルトリコット機を用いることができる。
【００２２】
本考案の経編地は、生機編地とした後、精錬、熱セット、染色等の加工を行う。加工方法は、通常の繊維混経編地の加工方法に準じて行えばよい。
【００２３】
さらに、染色段階での付帯加工として、防汚加工、抗菌加工、消臭加工、防臭加工、吸汗加工、吸湿加工、紫外線吸収加工、減量加工など、さらに後加工としてカレンダー加工、エンボス加工、シワ加工、起毛加工、オパール加工など、最終的な要求特性に応じて適宜付与することができる。
【００２４】
本考案の経編地は、例えば身体にフィットするインナー又はスポーツ・水着等の用途に利用することが可能であり、本考案の経編地を使用することにより、着用感が良好であるとともに、運動追従性に優れ、運動機能向上に寄与することができ、さらに、伸長力によって用途が限定されることがなく、着用による型崩れが発生し難い、着用感と見映えの優れた衣服を製造することができる。
【００２５】
得られた編地の評価結果を次に示す。
【００２６】
（１）試料
（Ａ）雄面（フック側）  
「ニューエコマジック」（（株）クラレの登録商標）Ａ９６６３Ｙ．００
（Ｂ）雌面（ループ側）  本考案の製品
（ａ）組織図  図２の通り
（ｂ）糸の素材       ポリエステル
（ｃ）糸の太さ       フロント筬、ミドル筬  １２０ｄｔｅｘ
バック筬  ５０ｄｔｅｘ
（ｄ）編機           カールマイヤー製の２８ゲージのシングルトリコット機
【００２７】
（２）測定
（Ａ）雌面（ループ側）の通気性
ＪＩＳ−Ｌ−１０９６Ａ法（フラジール法）による。
（Ｂ）引張せん断強力／剥離強力（シアー／ピール）
１００ｍｍ幅にて機械剥離をし、２５ｍｍ幅にスリットして測定（初回／２０００回／５０００回）を行った（ｎ＝３×正逆）。パイルの向きは縦方向、すなわち長手方向である。
【００２８】
（３）結果
（Ａ）通気性  ３７０．８ｃｍ３／ｃｍ２・ｓ
（Ｂ）引張せん断強力／剥離強力（シアー／ピール）
（ａ）シアー（Ｎ／ｃｍ２）
初回          ７．８
２０００回    ６．９（保持率  ８９％）
５０００回  ６．７（保持率  ８７％）
（ｂ）ピール（Ｎ／ｃｍ）
初回          １．３
２０００回    １．２（保持率  ９５％）
５０００回  １．２（保持率  ９３％）
ここで「保持率」とは「初期値に対しての保持率」である。
【００２９】
市販されている従来品４種類を用いて同じ通気性試験をしたところ、その通気性はそれぞれ、２４９.５、１７８.６、２０４.３、２０４.５（ｃｍ３／ｃｍ２・ｓ）であったのと比べると、本考案の面ファスナー用雌面は、抜群の通気性を有する。しかも、本考案品では、通気孔がバック糸によりデンビー組織に編成されているため引張せん断強力及び剥離強力においても優れている。
【符号の説明】
【００３０】
１    面ファスナー用雌面
２     フロントとミドルの糸を通す部分
３    フロントとミドルの糸を通さないで、バックの糸のみにより編成している部分（通気孔）
Ａ     フロント筬における組織図
Ｂ     ミドル筬における組織図
Ｃ     バック筬における組織図
【図１】
0003213965.tif 000003
【図２】
0003213965.tif 000004
【手続補正書】
【提出日】平成29年10月10日(2017.10.10)
【手続補正１】
【補正対象書類名】実用新案登録請求の範囲
【補正対象項目名】全文
【補正方法】変更
【補正の内容】
【実用新案登録請求の範囲】
【請求項１】
フロント筬においてサテン組織、ミドル筬においてサテン組織、バック筬においてデンビー組織を有する面ファスナー用雌面であって、
前記バック筬の糸のみにより編成された多数の通気孔が設けられていることを特徴とする面ファスナー用雌面。
【請求項２】
フロント筬及びミドル筬におけるサテン組織が、針３本分又はそれ以上を超えて移動させるものである請求項１記載の面ファスナー用雌面。
【請求項３】
前記フロント筬が、４−３／６−７／４−３／６-７／４−３／６−７／４−３／６−７／４−３／４−５／３−２／３−４／１−０／３−４／１−０／３−４／１−０／３−４／１−０／３−４／３−２／４−５の閉じ目のサテン組織であり、
前記ミドル筬が、１−０／３−４／１−０／３−４／１−０／３−４／１−０／３−４／３−２／４−５／４−３／６−７／４−３／６−７／４−３／６−７／４−３／６−７／４−３／４−５／３−２／３−４の閉じ目のサテン組織であり、
前記バック筬が、１−２／１−０の閉じ目のデンビー組織である
請求項１又は２記載の面ファスナー用雌面。
【手続補正２】
【補正対象書類名】明細書
【補正対象項目名】０００８
【補正方法】変更
【補正の内容】
【０００８】
本考案は、フロント筬においてサテン組織、ミドル筬においてサテン組織、バック筬においてデンビー組織を有する面ファスナー用雌面であって、前記バック筬の糸のみにより編成された多数の通気孔が設けられていることを特徴とする。